(57)【要約】    【課題】      トラッキングでパスが、不適切に入れ替わることを防ぐことのできるパス検出装置を提供すること。    【解決手段】  位相変動量記憶部１０８は、過去の復号時と今回の復号時の位相変化量を記憶する。同一パス検出部１０９は、各フィンガ処理部１０３の位相差を調べ、差があるしき値以下のパスを検出する。パス削除判定部１１０は、同一パス検出部１０９で検出されたパスに対応する位相変動量記憶部１０８内の位相変化量を調べ位相変化量の大きいパスを削除するとともに削除されないパスの逆拡散結果を出力する。  【選択図】      図１
2006237983.tif 000002
【特許請求の範囲】
【請求項１】
受信信号から複数のパスを選択するパス選択手段と、
選択された前記パスのパス位相を微調整するトラッキング制御手段と、
過去の復号時と今回の復号時の位相変化量を求め、記憶する位相変動量記憶手段と、
選択されたパス同士において、位相差が所定範囲にあるパスを同一パスと判定する同一パス検出手段と、
前記同一パス検出手段で同一パスと判定されたパス同士間では、前記位相変化量が相対的に大きいパスを削除するパス削除判定手段と、
を具備することを特徴とするパス検出装置。
【請求項２】
受信信号の遅延プロファイルを作成し、遅延プロファイルの相関値を前記パス削除判定手段に出力する遅延プロファイル生成手段をさらに有し、
前記パス削除判定手段は、前記変化した位相量および遅延プロファイルの相関値に応じて削除するパスを選択することを特徴とする請求項１記載のパス検出装置。
【発明の詳細な説明】
【技術分野】
【０００１】
本発明は、直接拡散符号分割多元接続（ＤＳ−ＣＤＭＡ）方式による移動通信システムにおけるパス検出装置に関する。
【背景技術】
【０００２】
ＣＤＭＡ受信装置におけるパス検出回路においては、パス位相を微調整する処理であるトラッキングをパス毎に行うことが有効であることが知られている（特許文献１参照）。なお、トラッキングを繰り返し行うと、元々異なるフィンガに割り当てられていた同一のパスの位相が同一の値となる場合がある。同じ位相のパスに複数のフィンガを割り当てると、フィンガ数に限りがあることから、以降出現した有効なパスにをフィンガを割り当てることができないためどちらかのパスを削除する必要がある。これに対応してパスを削除するにあたって、トラッキングで位相が変化していないパスを削除し、位相が変化していったパスを残すとパスが入れ替わって見える。このような現象を、本明細書では、パスが入れ替わると呼ぶ。
【０００３】
また、パス選択において、選択したパス近傍（以下同一パスと言う）ではパスを選択しない方が受信性能が改善するとされている（非特許文献１参照）。
【特許文献１】特開平１０−１７３６３０号公報
【非特許文献１】信学技報ＲＣＳ９７−１６４
【発明の開示】
【発明が解決しようとする課題】
【０００４】
しかしながら、この非特許文献１には、選択したパス近傍でのパス選択に付き示唆はあるものの、具体的な改善する方法は開示されていない。加えて、従来のパス検出装置においては、同一パスが複数ある場合、任意のパスを削除していたためトラッキングでパスが入れ替わり、受信性能が劣化するという問題があった。
【０００５】
例えば、ＤＳ−ＣＤＭＡ方式においては一般的に、同期検波を行うにあたり、信頼性を高めるため前後複数のタイミングの既知シンボルを用いて位相補正値を算出している。ところが、トラッキングにより位相が変動しているシンボルを用いると別タイミングでの位相情報で補正することと等価になる。また、位相回転量補正や受信品質検出においてもトラッキングにより変動しているシンボルを用いると同様の理由により、その変動している分に相当する分だけ、精度の劣化が発生する。
【０００６】
本発明は、このような従来の問題を解決するためになされたもので、トラッキングでパスが入れ替わることを防ぐことのできるパス検出装置を提供することを目的とする。
【課題を解決するための手段】
【０００７】
本発明のパス検出装置は、受信信号から複数のパスを選択するパス選択手段と、選択された前記パスのパス位相を微調整するトラッキング制御手段と、過去の復号時と今回の復号時の位相変化量を求め、記憶する位相変動量記憶手段と、選択されたパス同士において、位相差が所定範囲にあるパスを同一パスと判定する同一パス検出手段と、前記同一パス検出手段で同一パスと判定されたパス同士間では、前記位相変化量が相対的に大きいパスを削除するパス削除判定手段と、を具備する構成を採る。
【発明の効果】
【０００８】
本発明によれば、位相変化量を検出し、位相変化の大きいパスを削除するパスを選択することにより、パスが入れ替わることを防ぐことができる。
【発明を実施するための最良の形態】
【０００９】
以下、本発明の実施の形態に係るパス検出装置について、図面を用いて説明する。
【００１０】
（実施の形態１）
図１は、本発明の実施の形態１に係るパス検出装置１００のブロック図である。
【００１１】
図１において、パス検出装置１００は、受信アンテナ１０１に受信されたアナログ信号に対して周波数変換処理、フィルタリング処理及びＡ／Ｄ変換処理などをして得られたディジタル信号を入力する。パス検出装置１００は、パス毎の処理を行う複数のフィンガ処理部１０３−１〜１０３−ｎを有している。パス選択部１０２は、受信信号より生成した遅延プロファイル等を用いて算出したパス位相を各フィンガ処理部１０３毎に指定する。
【００１２】
逆拡散符号生成部１０４は、パス選択部１０２で指定されたパス位相に対応する逆拡散符号を生成する。遅延部１０５は、逆拡散符号生成部１０４で生成された逆拡散符号をトラッキングで微調整する位相分だけ遅延させ、トラッキング用逆拡散符号を複数組生成する。
【００１３】
各逆拡散部１０６−１〜１０６−ｍは、遅延部１０５から出力されたトラッキング用逆拡散符号を、受信アンテナ１０１からの受信信号に乗算することにより逆拡散を行い、その結果を相関値のパワとして出力する。
【００１４】
トラッキング制御部１０７は、各逆拡散部１０６−１〜１０６−ｍが出力する相関値のパワを比較し、相関値のパワがもっとも大きくなる位相を選択して、複数の逆拡散信号から復号すべき信号およびその位相を選択する。
【００１５】
位相変動量記憶部１０８は、前回復号時と今回復号時の位相変化量を記憶する。
【００１６】
同一パス検出部１０９は、各フィンガ処理部１０３−１〜１０３−ｎの位相差を調べ、位相差があるしきい値以下のパスを、同一パスとして検出する。すなわち、位相が近傍にあると認められる一群のパスを検出する。
【００１７】
パス削除判定部１１０は、同一パス検出部１０９で検出された同一パスの各パスに対応する位相変動量記憶部１０８内の位相変化量を調べ、相対的に位相変化量の大きいパスを削除する。また、削除されないパス、すなわち残されたパスの逆拡散結果を復号結果として、パス合成部等の後行程の回路（図示せず）にデータを出力し、さらに削除したパスおよびトラッキングでの位相移動情報をパス選択部１０２へ出力する。
【００１８】
以上のように構成されたパス検出装置について、図２を参照してその動作を説明する。なお、図２は、縦軸に受信レベル、横軸に遅延時間（位相）を採って、選択したパスの動作をモデル化した図である。
【００１９】
図２に示す受信信号が受信アンテナ１０１に入力され、現在、パス選択部１０２でフィンガａおよびフィンガｂが選択されているものとする。この場合、フィンガａに対する逆拡散部１０６では、前回復号時のフィンガａを中心に、図２に示すトラッキングタイミング（位相）１、フィンガタイミング（位相）ａ、トラッキングタイミング（位相）２のタイミングで逆拡散が行われ、トラッキング制御部１０７で受信レベルが最も大きなトラッキング２が選択され、フィンガａの位相がトラッキング２のタイミングに更新される。同様にフィンガｂに対しても、図２に示す様に、フィンガタイミング（位相）ｂの前後のトラッキングタイミング（位相）２、トラッキングタイミング（位相）３のタイミングで逆拡散を行うが、最大受信レベルがフィンガｂのタイミングであるためトラッキング制御部１０７では位相の変更は起こらず、フィンガｂが継続的に選択される。したがって、今、受信信号に変動がないとすると、パス位相前後の相関値を調べ、相関値の大きい方へ位相を変更するトラッキング制御が継続され、図２の場合で示すようにフィンガａの位相は、フィンガｂ側へ順次シフトするので、いずれフィンガｂと同一タイミングとなり、同一パス検出部１０９でフィンガａとフィンガｂが同一パスと判断される。
【００２０】
パス削除判定部１１０では、位相変動量記憶部１０８の情報より削除するパスを選択し、図２の場合、位相が変動しているフィンガａを削除する。
【００２１】
このような本発明の実施の形態１のパス検出装置によれば、位相変化量により削除するパスを選択する手段を設けることにより、複数のフィンガに割り当てられた同一位相のパスのいずれかを削除する場合に、位相が変化しているパスを削除することができるので、パスが入れ替わることを防ぐことができる。
【００２２】
なお、以上の説明では、位相変化量のみで削除するパスを選択したが、トラッキング１、フィンガａ、トラッキング２の逆拡散後の受信レベルもパス削除判定に用いても良い。この場合、伝搬路が変化し本来設定すべきパス位相が変動した場合にはその変動したパス位相を削除せず受信状態の変動を加味したパス削除処理を行うことができる。
【００２３】
（実施の形態２）
次に、本発明の実施の形態２に係るパス検出装置を、図３にブロック図で示す。なお、図３では、図１の実施の形態１に示した構成要素と同一である構成には、同一符号が付して詳しい説明を省略する。ここでは、この実施の形態２に関わる部分を中心に説明する。
【００２４】
図３に示すように、実施の形態２に係るパス検出装置２００は、図１（実施の形態１）に示した構成との比較において、遅延プロファイル生成部２０１が追加され、パス削除判定部１１０はパス削除判定部２０３と参照符号が変えて設けられている。
【００２５】
以上の構成において、遅延プロファイル生成部２０１では、各位相での相関値の大きさを算出し、パス削除判定部２０３では、同一パス検出部１０９で検出されたパスの内位相変動量記憶部１０８による位相タイミング変化量と、該当する遅延プロファイル生成部２０１による相関値の大きさを比較して削除するパスを選択することができる。具体的には、各パスの遅延プロファイルによる相関値を保存し、同一パス範囲で削除するべきパスが発生した場合には、それぞれ保存してある相関値を比較しどちらかが所定の閾値より大きい場合はそのパスを残す。この所定の閾値以下の場合には、実施の形態１と同様の動作を行う。
【００２６】
以上のように本発明の実施の形態２に係るパス検出装置２００によれば、遅延プロファイルによる相関値と位相タイミング変化量を用いてパス削除判定を行うことにより、相関値が大きい場合はトラッキング動作は安定しているので受信状態の変動を加味したパス削除処理を行うことができる。
【産業上の利用可能性】
【００２７】
以上のように、本発明にかかるパス検出装置は、位相変化量により削除するパスを選択する手段を設けることにより、パスが入れ替わることを防ぐという効果を有し、直接拡散符号分割多元接続（ＤＳ−ＣＤＭＡ）方式による移動通信システムにおけるパス検出装置として有用である。
【図面の簡単な説明】
【００２８】
【図１】本発明の実施の形態１におけるパス検出装置のブロック図
【図２】本発明の実施の形態１におけるパス削除の動作説明のためのモデル化した図
【図３】本発明の実施の形態２におけるパス検出装置のブロック図
【符号の説明】
【００２９】
１００、２００  パス検出装置
１０１  受信アンテナ
１０２  パス選択部
１０３  フィンガ処理部
１０４  逆拡散符号生成部
１０５  遅延部
１０６  逆拡散部
１０７  トラッキング制御部
１０８  位相変動量記憶部
１０９  同一パス検出部
１１０、２０３  パス削除判定部
２０１  遅延プロファイル生成部
【図１】
2006237983.tif 000003
【図２】
2006237983.tif 000004
【図３】
2006237983.tif 000005